(57)【要約】【課題】乾電池を形成するケース内に、感震器および発光体を備え、所定の震動を受けた際に、単独で発光体を点灯させる機能を有する感震器付照明器具を提供すること。【解決手段】外郭が乾電池を形成する光透過性のケース２ａ，２ｂ内に、発光体としてのＬＥＤ（Ｌ１，Ｌ２）および前記ＬＥＤを点灯させるための内蔵電池Ｅ１と共に、所定以上の震動を受けた際に出力を発生する感震器５と、前記感震器の出力を受けて前記発光体を所定時間点灯させる三端子型能動素子としてのＦＥＴ（Ｑ１）を含む点灯制御回路とが備えられる。そして、外郭が乾電池を形成する光透過性のケース２ａ，２ｂには、ダミーの正極電極３ａおよび負極電極３ｂが配置され、前記ダミーの正極電極および負極電極間が、短絡状態に接続されている。【選択図】図１
0003205381.tif 000002
【実用新案登録請求の範囲】
【請求項１】
外郭が乾電池を形成する光透過性のケース内に、発光体および前記発光体を点灯させるための電池と共に、所定以上の震動を受けた際に出力を発生する感震器と、前記感震器の出力を受けて前記発光体を所定時間点灯させる点灯制御回路とが備えられていることを特徴とする感震器付照明器具。
【請求項２】
前記ケースには、ダミーの正極電極および負極電極が配置され、前記ダミーの正極電極および負極電極間が、短絡状態に接続されていることを特徴とする請求項１に記載の感震器付照明器具。
【請求項３】
前記点灯制御回路には、制御端子に印加される電圧もしくは電流により、他の二端子間を流れる電流量が制御される三端子型能動素子が用いられ、前記電池に対して前記発光体および能動素子の前記二端子が直列接続されると共に、前記電池に接続された感震器の接点とコンデンサとの接続中点が、三端子型能動素子の前記制御端子に接続されていることを特徴とする請求項１または請求項２に記載の感震器付照明器具。
【考案の詳細な説明】
【技術分野】
【０００１】
この考案は、外郭が乾電池を形成するケース内に、感震器および発光体を備えた感震器付照明器具に関する。
【背景技術】
【０００２】
例えば地震発生時の震動を感知して照明器具を点灯させることができる感震器付照明器具が提案されており、その一例が特許文献１に開示されている。
この特許文献１に開示された感震器付照明器具は、吊り下げ型の照明器具を対象としており、天井面に設置された引掛けローゼットに、着脱可能にプラグが取り付けられる。そして、プラグから垂下される電源供給コードによって、例えば蛍光灯を備えた照明器具が吊り下げられる。
【０００３】
一方、前記プラグには感震器が備えられており、この感震器が予め定められた以上の震動を感知したときには、照明器具のプルスイッチの開閉状態に関係なく、前記した照明器具に給電して照明器具を点灯させるように動作する。
したがって、特に夜間において地震が発生しても、前記照明器具が自動的に点灯するので、二次災害の発生を防止することに寄与できる。
【０００４】
しかしながら、地震の規模によっては直ちに停電になる場合も想定され、これが夜間において発生した場合には、前記した感震器付照明器具においては、その機能を果たすことが不可能となる。
そこで、乾電池と同様な外形形状を備え、内部に感震器を備えた乾電池型の震動感知スイッチが提案されており、これは特許文献２および３に開示されている。
この特許文献２および３に開示された震動感知スイッチによると、前記感震器が所定以上の震動を感知した場合に、乾電池型ケースに配置された正負の疑似電極が震動感知スイッチによって接続（短絡）されるように作用する。
【０００５】
したがって、懐中電灯等に装填される複数本の電池のうちの１本を、前記した乾電池型の震動感知スイッチに入れ替えることにより、地震による震動を感知したときに、懐中電灯等を自動的に点灯させることができる。
これにより、夜間において懐中電灯等の所在が確かめられ、即座に周囲の状況を把握することに寄与できるものとなる。
【先行技術文献】
【特許文献】
【０００６】
【特許文献１】実開昭５８−１９４１１号公報
【特許文献２】実開昭６０−１０４７３１号公報
【特許文献３】登録実用新案第３０２４７９６号公報
【考案の概要】
【考案が解決しようとする課題】
【０００７】
ところで、前記した乾電池型の震動感知スイッチを利用した懐中電灯においては、懐中電灯の点滅スイッチ（メインスイッチ）をオン状態に設定しておかなければ、震動の感知によって懐中電灯を点灯させることができない。
一般的にこの種の懐中電灯においては、夜間以外の非使用時においてはメインスイッチをオフにするという習慣があるために、非常時を想定した取り扱いに不慣れであり、したがって無意識のうちにメインスイッチをオフにしておく場合が多い。このために、非常事態においては、その機能が発揮できないものとなる。
【０００８】
この考案は、前記した実用上の問題を解消するためになされたものであり、外郭が乾電池を形成するケース内に、感震器および発光体を備え、所定の震動を感知した際に、それ自身（乾電池ケース）が単独で前記発光体を点灯させる機能を持たせることで、夜間において懐中電灯等の機器の所在を、発光体の点灯により明らかにすることができる感震器付照明器具を提供することを目的とするものである。
【課題を解決するための手段】
【０００９】
前記した目的を達成するためになされたこの考案に係る感震器付照明器具は、外郭が乾電池を形成する光透過性のケース内に、発光体および前記発光体を点灯させるための電池と共に、所定以上の震動を受けた際に出力を発生する感震器と、前記感震器の出力を受けて前記発光体を所定時間点灯させる点灯制御回路とが備えられていることを特徴とする。
【００１０】
この場合、前記ケースには、ダミーの正極電極および負極電極が配置され、前記ダミーの正極電極および負極電極間が、短絡状態に接続されていることが望ましい。
【００１１】
そして、好ましい形態においては、前記点灯制御回路には、制御端子に印加される電圧もしくは電流により、他の二端子間を流れる電流量が制御される三端子型能動素子が用いられ、前記電池に対して前記発光体および能動素子の前記二端子が直列接続されると共に、前記電池に接続された感震器の接点とコンデンサとの接続中点が、三端子型能動素子の前記制御端子に接続された構成が採用される。
【考案の効果】
【００１２】
前記した構成の感震器付照明器具によると、外郭が乾電池を形成する光透過性のケース内に、例えばＬＥＤによる発光体が収容され、所定の震動を受けた際の感震器からの出力を利用する点灯制御回路が、前記発光体を所定時間点灯させるように動作する。
したがって、乾電池型の前記照明器具を単独で利用することによっても、非常時の照明器具として効果的に利用することができる。
【００１３】
また、昨今における懐中電灯の多くは、その本体ケースが光透過性の樹脂素材により形成されている。したがって懐中電灯に装填される複数本の電池のうちの１本を、前記した乾電池型の感震器付照明器具に入れ替えておくことにより、地震に伴なうＬＥＤ等の発光体の点灯により、懐中電灯の所在を即座に把握することができる。
【００１４】
この場合、乾電池型の照明器具におけるダミーの正極電極および負極電極間は短絡状態に接続されているので、懐中電灯のメインスイッチをオン操作することで、他の乾電池からの電流を受けて懐中電灯を点灯させることができ、これにより懐中電灯の本来の機能を果たすことが可能となる。
【図面の簡単な説明】
【００１５】
【図１】この考案に係る感震器付照明器具の全体構成を一部模式図で示した回路構成図である。
【図２】懐中電灯に装填される複数本の電池のうちの１本を図１に示す感震器付照明器具に入れ替えた状態を示す模式図である。
【考案を実施するための形態】
【００１６】
この考案に係る感震器付照明器具について、図に示す実施の形態に基づいて説明する。
図１に示すように、この考案に係る感震器付照明器具１は、単一型乾電池の外郭を備えた光透過性の樹脂素材によるケース内において構成される。このケースは、軸方向の前半部のケース２ａと、後半部のケース２ｂとに二分されるように構成されており、これら前後のケース２ａ，２ｂには、他の単一型乾電池と同様のダミーの正極端子３ａと負極端子３ｂが備えられている。そして、ダミーの正極端子３ａと負極端子３ｂ間は、リード線４によって接続（短絡）されている。
【００１７】
前後のケース２ａ，２ｂ内には、鎖線で囲まれた構成が収容されており、発光体としての２つのＬＥＤ（ＬＩ，Ｌ２）および前記ＬＥＤ（ＬＩ，Ｌ２）を点灯させるための例えば２つのボタン型電池（内蔵電池）Ｅ１と、所定以上の震動を受けた際に出力を発生する感震器５と、前記感震器５の出力を受けて前記ＬＥＤ（ＬＩ，Ｌ２）を所定時間点灯させる三端子型能動素子Ｑ１を含む点灯制御回路とが備えられている。
【００１８】
この実施の形態においては前記した三端子型能動素子Ｑ１として、Ｎチャンネル型ＭＯＳＦＥＴ（一例として、２ＳＫ２２３１）が用いられている。
このＦＥＴ（Ｑ１）によると制御端子としてのゲートＧに印加される電圧により、他の二端子間、すなわちドレインＤとソースＳ間を流れる電流量が制御されるものとなる。
そして、前記電池Ｅ１に対して、前記ＬＥＤ（ＬＩ，Ｌ２）およびＦＥＴ（Ｑ１）の前記二端子間、すなわちドレインＤとソースＳ間が直列接続されている。
【００１９】
一方、前記した感震器５は、リング状の固定接点５ａの中央部に直線状（棒状）の可動接点５ｂが配置されており、この可動接点５ｂは基端部においてコイル状スプリング５ｃによって、揺動可能に支持されている。そして、リング状の固定接点５ａが前記電池Ｅ１の正極に接続され、可動接点５ｂは前記したコイル状スプリング５ｃを介して、ＦＥＴ（Ｑ１）のゲートＧに接続されている。
また、前記ＦＥＴ（Ｑ１）のゲートＧとソースＳ間には、コンデンサＣ１および抵抗Ｒ１の並列回路が接続されている。したがって、電池Ｅ１に接続された感震器５の可動接点５ｂとコンデンサＣ１との接続中点が、ＦＥＴ（Ｑ１）のゲートＧに接続された構成になされている。
【００２０】
図１に示した回路構成において、地震等に伴なう震動を受けた場合には、感震器５の可動接点５ｂがコイル状スプリング５ｃを介して揺動し、所定以上の震動を受けることにより、リング状の固定接点５ａに対して可動接点５ｂが接触する。
これにより、内蔵電池Ｅ１より感震器５を介して、コンデンサＣ１に対して瞬間的に電荷がチャージされ、ＦＥＴ（Ｑ１）はオン状態となる。
【００２１】
これによりＦＥＴ（Ｑ１）を介して、発光体としての２つのＬＥＤ（ＬＩ，Ｌ２）が点灯する。この点灯動作は、コンデンサＣ１に並列接続された抵抗Ｒ１により、コンデンサＣ１のチャージ電圧がＦＥＴ（Ｑ１）のスレッショルド電圧以下に低下するまでの所定時間にわたり持続する。
したがって、この実施の形態における２つのＬＥＤ（ＬＩ，Ｌ２）の点灯制御回路は、前記ＦＥＴ（Ｑ１）、コンデンサＣ１、抵抗Ｒ１を含むものとなる。
【００２２】
なお、前記した感震器５としては、ＵＸＣＥＬＬのブランド名で市販されている震動スイッチ“ＳＷ−１８０１０Ｐ”を好適に利用することができる。
また、図１に示した実施の形態においては、三端子型能動素子としてＭＯＳＦＥＴを用いているが、これに代えてバイポーラトランジスタを用いることもできる。すなわち、Ｎチャンネル型ＭＯＳＦＥＴに代えて、ＮＰＮ型のバイポーラトランジスタを用いても、同様の作用効果を期待することができる。
【００２３】
図２は、図１に示したこの考案に係る感震器付照明器具１を、懐中電灯（携帯用サーチライト）１１に利用した例を断面図で示している。
図２に示す懐中電灯１１は、光透過性の樹脂素材により形成された主ケース１２内に、中継端子板１３を介して４本の単一型乾電池が収容可能に構成されている。この場合、４本の乾電池のうちの１本を、この考案に係る乾電池型の感震器付照明器具１に入れ替えて利用する。
したがって、図２に示す懐中電灯１１の例は、この考案に係る乾電池型の感震器付照明器具１内の前記したリード線４を介して、３本の単一型乾電池Ｂ１〜Ｂ３が直列接続された状態になされる。
【００２４】
また、前記懐中電灯１１には、放物面を有する反射鏡１４を備え、その中央部に照明用電球１５を備えたランプホールドユニット１６が装着されている。そして、ランプホールドユニット１６の背面側に取り付けられたバネ性を有する一対の接触子１７ａ，１７ｂによって、直列接続された３本の乾電池Ｂ１〜Ｂ３からの電流が、点滅スイッチ１８を介して照明用電球１５に供給される。
【００２５】
なお、前記反射鏡１４の周縁部は、反射鏡１４を前面から覆う円板状の光透過板１９およびＯリング２０を介して、主ケース１２の前端開口部の周囲に螺着された締め付けリング２１によって、取り付けられている。
そして、前記主ケース１２の点滅スイッチ１８の後部側には、主ケース１２に一体成形されてハンドル２２が取り付けられている。
【００２６】
図２に示したように、この考案に係る乾電池型の感震器付照明器具１を利用した懐中電灯１１によると、地震等に伴ない予め定められた震動を感知した場合には、感震器付照明器具１に内蔵された前記ＬＥＤ（Ｌ１，Ｌ２）が発光する。このＬＥＤ（Ｌ１，Ｌ２）からの光は、懐中電灯１１の主ケース１２を透過して外部に光放射されるので、夜間においては、懐中電灯１１の存在箇所を即座に把握することができる。
【００２７】
したがって、利用者は懐中電灯１１の点滅スイッチ１８をオン操作することにより、照明用電球１５を発光させて、懐中電灯１１としての機能を利用することができるものとなる。これにより、夜間における二次災害の防止と避難誘導等に利用することができるものとなる。
【００２８】
なお以上は、この考案に係る感震器付照明器具１を懐中電灯に装填した例に基づいて説明したが、この考案に係る感震器付照明器具１は、その他の乾電池を用いる電気機器に利用することで、同様の作用効果を得ることができる。さらにはこの感震器付照明器具１を単体で利用して、例えば非常持ち出し袋内に入れておくことで、夜間においてその発光により所在を明らかにすることができるなどの実用的な効果を得ることができる。
【符号の説明】
【００２９】
１          感震器付照明器具
２ａ        前半部ケース
２ｂ        後半部ケース
３ａ        ダミー正極端子
３ｂ        ダミー負極端子
４          リード線
５          感震器
５ａ        固定接点
５ｂ        可動接点
５ｃ        コイル状スプリング
１１        懐中電灯（携帯用サーチライト）
１２        主ケース
１３        中継端子板
１４        反射鏡
１５        照明用電球
１６        ランプホールドユニット
１７ａ，１７ｂ  接触子
１８        点滅スイッチ
１９        光透過板
２０        Ｏリング
２１        装着リング
２２        ハンドル
Ｂ１〜Ｂ３  乾電池
Ｃ１        コンデンサ
Ｅ１        ボタン型電池（内蔵電池）
Ｌ１，Ｌ２  発光体（ＬＥＤ）
Ｑ１        三端子型能動素子（ＦＥＴ）
Ｒ１        抵抗
【図１】
0003205381.tif 000003
【図２】
0003205381.tif 000004